【手続補正書】
【提出日】令和2年7月27日(2020.7.27)
【手続補正１】
【補正対象書類名】明細書
【補正対象項目名】発明の名称
【補正方法】変更
【補正の内容】
【発明の名称】バルクマグネット構造体の着磁方法、これを用いたＮＭＲ用マグネットシステム
【手続補正２】
【補正対象書類名】明細書
【補正対象項目名】００５８
【補正方法】変更
【補正の内容】
【００５８】
上記バルクマグネット構造体の着磁方法で着磁するバルクマグネット構造体が上述のいずれかに記載のバルクマグネット構造体であってもよい。
本発明の実施態様の一部を以下の項目［１］−［１１］に記載する。
［１］
バルクマグネット構造体の着磁方法であって、
前記バルクマグネット構造体は、複数のリング状酸化物超電導バルク体と、複数積層された前記リング状酸化物超電導バルク体の外周面を覆うように嵌合された少なくとも１つの外周補強リングと、を備え、少なくとも一つの前記リング状酸化物超電導バルク体の内周径は、当該酸化物超電導バルク体に隣接する前記リング状酸化物超電導バルク体の内周径よりも大きい、バルクマグネット構造体であり、
前記バルクマグネット構造体の温度を調整する温度制御装置および前記バルクマグネット構造体に磁場を印加する磁場発生装置により、前記バルクマグネット構造体の超電導状態が維持されている状態で、前記磁場発生装置により、前記バルクマグネット構造体に印加される印加磁場の強度を減じる基本着磁工程を含み、
前記基本着磁工程の後、前記バルクマグネット構造体の温度を保持または所定の温度まで昇温し、前記磁場均一化領域の磁場分布の均一性を向上させる第１温度調整工程と、
前記第１温度調整工程の後、前記バルクマグネット構造体を降温する第２温度調整工程と、
を含み、
前記バルクマグネット構造体の軸方向における少なくとも一部の領域の磁場分布が着磁前の印加磁場分布よりも均一となる磁場均一化領域となるように、前記温度制御装置または前記磁場発生装置のうち少なくともいずれか一方を制御して、前記バルクマグネット構造体を着磁する、バルクマグネット構造体の着磁方法。
［２］
前記磁場発生装置による着磁前の前記バルクマグネット構造体の軸方向における印加磁場分布は、磁場中心部で上に凸または下に凸であり、
前記第１温度調整工程において、少なくとも前記バルクマグネット構造体の中央部分に配置された前記リング状酸化物超電導バルク体の超電導電流分布を変化させる、項目［１］に記載のバルクマグネット構造体の着磁方法。
［３］
前記第１温度調整工程において、前記バルクマグネット構造体の中央部分に配置された前記リング状酸化物超電導バルク体を、当該リング状酸化物超電導バルク体全体に超電導電流が流れるフル着磁状態にする、項目［２］に記載のバルクマグネット構造体の着磁方法。
［４］
前記リング状酸化物超電導バルク体のうち積層方向中央部に位置する中央酸化物超電導バルク体の内周径は、当該中央酸化物超電導バルク体に隣接する前記リング状酸化物超電導バルク体の内周径よりも大きい、項目［１］〜［３］のいずれか１項に記載のバルクマグネット構造体の着磁方法。
［５］
前記隣接するリング状酸化物超電導バルク体の内周径よりも大きいリング状酸化物超電導バルク体の積層方向（Ｚ軸方向）高さが１０ｍｍから３０ｍｍであることを特徴とする、項目［１］〜［４］のいずれか１項に記載のバルクマグネット構造体の着磁方法。
［６］
バルクマグネット構造体の積層方向端部のうちいずれか一方には、円柱状酸化物超電導バルク体が配置される、項目［１］〜［５］のいずれか１項に記載のバルクマグネット構造体の着磁方法。
［７］
前記酸化物超電導バルク体と前記外周補強リングとの間に、第２外周補強リングを備える、項目［３］〜［６］のいずれか１項に記載のバルクマグネット構造体の着磁方法。
［８］
前記リング状酸化物超電導バルク体は、内部に内周補強リングを備え、前記リング状酸化物超電導バルク体と前記内周補強リングとの間に、第２内周補強リングを備える項目［３］〜［７］のいずれか１項に記載のバルクマグネット構造体の着磁方法。
［９］
前記酸化物超電導バルク体は、単結晶状のＲＥＢａ２Ｃｕ３Ｏｙ中にＲＥ２ＢａＣｕＯ５（ＲＥは希土類元素から選ばれる１種又は２種以上の元素。６．８≦ｙ≦７．１）が分散された組織を有する酸化物を含んでなる、項目［１］〜［８］のいずれか１項に記載のバルクマグネット構造体の着磁方法。
［１０］
前記バルクマグネット構造体が、ＮＭＲ用のバルクマグネット構造体である、項目［１］〜［９］のいずれか１項に記載のバルクマグネット構造体の着磁方法。
［１１］
項目［１］に記載のバルクマグネット構造体の着磁方法を使用するＮＭＲ用マグネットシステムであって、
真空容器内に収容された前記項目［１］に記載のバルクマグネット構造体と、
前記バルクマグネット構造体を冷却する冷却装置と、
前記バルクマグネット構造体の温度を調整する温度制御装置と、を含み、
前記基本着磁工程と、前記第１温度調整工程と、前記第２温度調整工程とを、行う手段を有する、
ＮＭＲ用マグネットシステム。
【手続補正３】
【補正対象書類名】特許請求の範囲
【補正対象項目名】全文
【補正方法】変更
【補正の内容】
【特許請求の範囲】
【請求項１】
バルクマグネット構造体の着磁方法であって、
前記バルクマグネット構造体は、複数のリング状酸化物超電導バルク体と、複数積層された前記リング状酸化物超電導バルク体の外周面を覆うように嵌合された少なくとも１つの外周補強リングと、を備え、少なくとも一つの前記リング状酸化物超電導バルク体の内周径は、当該酸化物超電導バルク体に隣接する前記リング状酸化物超電導バルク体の内周径よりも大きい、バルクマグネット構造体であり、
前記バルクマグネット構造体の温度を調整する温度制御装置および前記バルクマグネット構造体に磁場を印加する磁場発生装置により、前記バルクマグネット構造体の超電導状態が維持されている状態で、前記磁場発生装置により、前記バルクマグネット構造体に印加される印加磁場の強度を減じる基本着磁工程を含み、
前記基本着磁工程の後、前記バルクマグネット構造体の温度を保持または所定の温度まで昇温し、前記磁場均一化領域の磁場分布の均一性を向上させる第１温度調整工程と、
前記第１温度調整工程の後、前記バルクマグネット構造体を降温する第２温度調整工程と、
を含み、
前記バルクマグネット構造体の軸方向における少なくとも一部の領域の磁場分布が着磁前の印加磁場分布よりも均一となる磁場均一化領域となるように、前記温度制御装置または前記磁場発生装置のうち少なくともいずれか一方を制御して、前記バルクマグネット構造体を着磁する、バルクマグネット構造体の着磁方法。
【請求項２】
前記磁場発生装置による着磁前の前記バルクマグネット構造体の軸方向における印加磁場分布は、磁場中心部で上に凸または下に凸であり、
前記第１温度調整工程において、少なくとも前記バルクマグネット構造体の中央部分に配置された前記リング状酸化物超電導バルク体の超電導電流分布を変化させる、請求項１に記載のバルクマグネット構造体の着磁方法。
【請求項３】
前記第１温度調整工程において、前記バルクマグネット構造体の中央部分に配置された前記リング状酸化物超電導バルク体を、当該リング状酸化物超電導バルク体全体に超電導電流が流れるフル着磁状態にする、請求項２に記載のバルクマグネット構造体の着磁方法。
【請求項４】
前記リング状酸化物超電導バルク体のうち積層方向中央部に位置する中央酸化物超電導バルク体の内周径は、当該中央酸化物超電導バルク体に隣接する前記リング状酸化物超電導バルク体の内周径よりも大きい、請求項１〜３のいずれか１項に記載のバルクマグネット構造体の着磁方法。
【請求項５】
前記隣接するリング状酸化物超電導バルク体の内周径よりも大きいリング状酸化物超電導バルク体の積層方向（Ｚ軸方向）高さが１０ｍｍから３０ｍｍであることを特徴とする、請求項１〜４のいずれか１項に記載のバルクマグネット構造体の着磁方法。
【請求項６】
バルクマグネット構造体の積層方向端部のうちいずれか一方には、円柱状酸化物超電導バルク体が配置される、請求項１〜５のいずれか１項に記載のバルクマグネット構造体の着磁方法。
【請求項７】
前記酸化物超電導バルク体と前記外周補強リングとの間に、第２外周補強リングを備える、請求項３〜６のいずれか１項に記載のバルクマグネット構造体の着磁方法。
【請求項８】
前記リング状酸化物超電導バルク体は、内部に内周補強リングを備え、前記リング状酸化物超電導バルク体と前記内周補強リングとの間に、第２内周補強リングを備える請求項３〜７のいずれか１項に記載のバルクマグネット構造体の着磁方法。
【請求項９】
前記酸化物超電導バルク体は、単結晶状のＲＥＢａ２Ｃｕ３Ｏｙ中にＲＥ２ＢａＣｕＯ５（ＲＥは希土類元素から選ばれる１種又は２種以上の元素。６．８≦ｙ≦７．１）が分散された組織を有する酸化物を含んでなる、請求項１〜８のいずれか１項に記載のバルクマグネット構造体の着磁方法。
【請求項１０】
前記バルクマグネット構造体が、ＮＭＲ用のバルクマグネット構造体である、請求項１〜９のいずれか１項に記載のバルクマグネット構造体の着磁方法。
【請求項１１】
請求項１に記載のバルクマグネット構造体の着磁方法を使用するＮＭＲ用マグネットシステムであって、
真空容器内に収容された前記請求項１に記載のバルクマグネット構造体と、
前記バルクマグネット構造体を冷却する冷却装置と、
前記バルクマグネット構造体の温度を調整する温度制御装置と、を含み、
前記基本着磁工程と、前記第１温度調整工程と、前記第２温度調整工程とを、行う手段を有する、
ＮＭＲ用マグネットシステム。